(57)【特許請求の範囲】
【請求項１】
天井部材を取り付けるための吊下げ用部材が上方に既に複数並設されてなる炉壁の上に天井部材を取り付けて炉を製造する炉の製造方法において、前記の吊下げ用部材に案内レールを炉幅方向又は炉長方向に沿うようにして取り付けると共に、前記の天井部材に走行ローラーを設け、前記の案内レールに走行ローラーを介して天井部材を保持させ、この天井部材を走行ローラーにより案内レールに沿って炉壁上の所定位置に移動させて、天井部材を炉壁の上に取り付けることを特徴とする炉の製造方法。
【請求項２】
請求項１に記載の炉の製造方法において、前記の天井部材は、プレート部材の下面に断熱材が装着されてなり、このプレート部材に前記の走行ローラーが設けられていることを特徴とする炉の製造方法。
【請求項３】
請求項１又は請求項２に記載の炉の製造方法において、前記の天井部材に設けられた走行ローラーを吊上げ用部材に設けられた保持レールに保持させた状態で、前記の吊上げ用部材を介して前記の天井部材を吊り上げて、吊上げ用部材に設けられた保持レールを前記の吊下げ用部材に設けられた案内レールに接合させ、この状態で、前記の天井部材を走行ローラーにより前記の保持レールから案内レールに移動させることを特徴とする炉の製造方法。
【請求項４】
請求項１〜請求項３の何れか１項に記載の炉の製造方法において、前記の走行ローラーに、前記の天井部材を昇降させる昇降機能が設けられていることを特徴とする炉の製造方法。
【請求項５】
請求項１〜請求項４の何れか１項に記載の炉の製造方法において、炉壁の上方に既に複数並設された吊下げ用部材の一部を取り外し、吊下げ用部材が取り外された空間から前記の天井部材を導入させて、前記の案内レールに走行ローラーを介して天井部材を保持させることを特徴とする炉の製造方法。
【発明の詳細な説明】
【技術分野】
【０００１】
本発明は、炉壁の上に天井部材を取り付けて炉を製造する炉の製造方法に関するものである。特に、吊りパイプ等の吊下げ用部材が上方に複数並設された炉壁の上に天井部材を短時間で簡単に取り付けることができるようにした点に特徴を有するものである。
【背景技術】
【０００２】
加熱炉等の炉を製造するにあたり、炉の上方に吊りパイプ等の吊下げ用部材を複数並設させ、天井部材をこの吊下げ用部材に吊り下げるようにして、炉壁の上に天井部材を取り付けるようにしたものが存在している。
【０００３】
そして、このように炉の上方に並設された吊下げ用部材に天井部材を吊り下げるようにして、天井部材を炉壁の上に取り付けるにあたり、特許文献１、２においては、アンカー煉瓦の頭部が天井部材から突出するようにして、天井部材に複数のアンカー煉瓦を埋設させたものを用い、前記のアンカー煉瓦を介して天井部材を吊下げ用部材に吊り下げるようにしたものが示されている。
【０００４】
ここで、このようにアンカー煉瓦を介して天井部材を吊下げ用部材に吊り下げるにあたっては、吊下げ用部材の上方に天井クレーンやクレーン車等を設け、この天井クレーンやクレーン車等により、天井部材を炉内から吊下げ用部材の所定の位置まで吊り上げ、天井部材から突出されたアンカー煉瓦の頭部に設けられたフックを吊下げ用部材に係止させ、或いは、前記の吊下げ用部材にアンカー煉瓦吊り金物を設け、このアンカー煉瓦吊り金物に天井部材から突出されたアンカー煉瓦の頭部を係止させて、天井部材を吊下げ用部材に吊り下げるようにしている。
【０００５】
しかし、前記のように吊下げ用部材の上方に設けられた天井クレーンやクレーン車等によって、炉内から天井部材を順々に吊下げ用部材の所定の位置まで吊り上げる場合、吊下げ用部材が邪魔になって作業が非常に面倒であり、またこのように天井部材を吊り上げた状態で、この天井部材から突出された各アンカー煉瓦の頭部を吊下げ用部材に係止させて、各天井部材を吊下げ用部材に順々に吊り下げるという作業も非常に面倒で、天井部材を炉壁の上に取り付ける作業に非常に多くの時間がかかるという問題があった。また、炉の設置場所によっては、吊下げ用部材の上方に天井クレーンやクレーン車等を設置することが困難な場合もあり、この場合には、吊下げ用部材に吊り下げるようにして天井部材を取り付けることがさらに困難になるという問題があった。
【先行技術文献】
【特許文献】
【０００６】
【特許文献１】特開平７−３２４８７５号公報
【特許文献２】特開２００７−２４００５３号公報
【発明の開示】
【発明が解決しようとする課題】
【０００７】
本発明は、吊下げ用部材が上方に複数並設された炉壁の上に天井部材を取り付けて炉を製造する場合における前記のような問題を解決することを課題とするものであり、吊下げ用部材が上方に複数並設された炉壁の上に天井部材を短時間で簡単に取り付けることができるようにすることを課題とするものである。
【課題を解決するための手段】
【０００８】
本発明においては、前記のような課題を解決するため、天井部材を取り付けるための吊下げ用部材が上方に既に複数並設されてなる炉壁の上に天井部材を取り付けて炉を製造する炉の製造方法において、前記の吊下げ用部材に案内レールを炉幅方向又は炉長方向に沿うようにして取り付けると共に、前記の天井部材に走行ローラーを設け、前記の案内レールに走行ローラーを介して天井部材を保持させ、この天井部材を走行ローラーにより案内レールに沿って炉壁上の所定位置に移動させて、天井部材を炉壁の上に取り付けるようにした。
【０００９】
ここで、前記の天井部材としては、プレート部材の下面に断熱材が装着されると共に、このプレート部材に前記の走行ローラーが設けられたものを用いることができる。
【００１０】
また、前記のように吊下げ用部材に取り付けられた案内レールに、天井部材に設けられた走行ローラーを保持させ、走行ローラーにより天井部材を案内レールに沿って移動させて、炉壁の所定位置に導くにあたっては、前記の天井部材に設けられた走行ローラーを吊上げ用部材に設けられた保持レールに保持させ、前記の吊上げ用部材を介して前記の天井部材を持ち上げて、吊上げ用部材に設けられた保持レールを前記の吊下げ用部材に設けられた案内レールに接合させ、この状態で、前記の天井部材を走行ローラーにより前記の保持レールから案内レールに移動させて炉壁の所定位置に導くようにすることができる。
【００１１】
また、前記のように走行ローラーにより天井部材を案内レールに沿って移動させて炉壁の所定位置に導き、天井部材を炉壁の上に取り付けるにあたっては、前記の走行ローラーに、天井部材を昇降させる昇降機能が設けられたものを用い、天井部材を炉壁の所定位置に導いた後、この走行ローラーにより天井部材を下降させて、天井部材を炉壁の上に接触するようにしてセットさせることができる。
また、横梁が邪魔になる場合には、炉壁の上方に既に複数並設された吊下げ用部材の一部を取り外し、吊下げ用部材が取り外された空間から前記の天井部材を導入させて、前記の案内レールに走行ローラーを介して天井部材を保持させるようにすることができる。
【発明の効果】
【００１２】
本発明においては、前記のように天井部材に設けられた走行ローラーを、吊下げ用部材に取り付けられた案内レールに保持させ、走行ローラーにより天井部材を案内レールに沿って移動させて炉壁の所定位置に導くようにして、天井部材を炉壁の上に取り付けるようにしたため、吊下げ用部材が上方に複数並設された炉壁の上に天井部材を短時間で簡単に取り付けることができるようになる。
【図面の簡単な説明】
【００１３】
【図１】本発明の一実施形態に係る炉の製造方法において、炉壁の上に天井部材を取り付ける前の状態を示した概略平面図である。
【図２】前記の実施形態において、炉壁の上に天井部材を取り付ける前の状態を示した概略断面図である。
【図３】前記の実施形態において、炉壁の上方に設けられた吊下げ用部材の下に炉幅方向に伸びた案内レールを設けた状態を示し、（Ａ）は部分側面図、（Ｂ）は部分断面図である。
【図４】前記の実施形態に使用する天井部材を示した概略斜視図である。
【図５】前記の実施形態において、天井部材を案内レールの位置まで持ち上げるのに使用する吊上げ補助部材を示した概略斜視図である。
【図６】前記の実施形態において、天井部材に設けられた走行ローラーを吊上げ補助部材に設けられた保持レールに保持させた状態で、吊上げ補助部材と一緒に天井部材を吊り上げる状態を示した概略側面図である。
【図７】前記の実施形態において、天井部材を保持させた状態で吊上げ補助部材における保持レールを吊下げ用部材に設けられた案内レールに接合させた状態を示した部分断面図である。
【図８】前記の実施形態において、天井部材を走行ローラーにより保持レールから案内レールに沿って炉壁の上の所定位置に移動させて、複数の天井部材を炉壁の炉幅方向に連続するように並設させた状態を示した部分断面図である。
【図９】前記の実施形態において、支柱の両側に保持された天井部材間の隙間部分に補助天井部材を設けた状態を示した部分側断面図である。
【図１０】前記の実施形態において、天井部材を保持させた状態で吊上げ補助部材における保持レールを吊下げ用部材に設けられた案内レールに接合させるにあたり、横梁が邪魔になる場合に、天井部材を案内する側に位置する複数の吊下げ用部材を取り外した状態を示した部分断面図である。
【図１１】前記の実施形態において、図１０に示すように吊下げ用部材を取り外した空間から、天井部材を保持させた吊上げ補助部材を炉壁の上に導き、天井部材を走行ローラーにより保持レールから案内レールに沿って炉壁の上の所定位置に移動させて、複数の天井部材を炉壁の炉幅方向に連続するように並設させた状態を示した部分断面図である。
【図１２】前記の実施形態において、図１１に示すように複数の天井部材を炉壁の炉幅方向に連続するように並設させた後、吊下げ用部材が取り外された位置に天井部材を保持させた吊上げ補助部材を導き、新たに吊下げ用部材を設けて天井部材が保持された前記の吊上げ補助部材を吊り下げる状態を示した部分断面図である。
【図１３】前記の実施形態において、天井部材における走行ローラーに、カム部材の外周に回転リングを回転可能に取り付けたものを用い、前記のカム部材を回転させて天井部材を下降させる状態を示し、（Ａ）はカム部材を回転させる前で天井部材と炉壁の上との間に隙間がある状態を示した部分断面図、（Ｂ）はカム部材を回転させて天井部材を下降させ、天井部材を炉壁の上に接触させた状態を示した部分断面図である。
【発明を実施するための最良の形態】
【００１４】
以下、本発明の実施形態に係る炉の製造方法を添付図面に基づいて具体的に説明する。なお、本発明における炉の製造方法は、下記の実施形態に示したものに限定されず、発明の要旨を変更しない範囲において、適宜変更して実施できるものである。
【００１５】
この実施形態における炉の製造方法においては、炉床１１の周囲に立設された炉壁１２の上に天井部材１３を取り付けるようにしている。
【００１６】
ここで、この実施形態においては、図１及び図２に示すように、前記の炉壁１２の外周側を覆うようにして枠体２０を配置させるようにしており、この枠体２０においては、炉壁１２の上方において炉幅方向に伸びた上梁２１を炉長方向に所要間隔を介して設けると共に、前記の上梁２１を連結させる炉長方向に伸びた横梁２２と、前記の上梁２１を支持する支柱２３とを設け、また前記の炉壁１２の上方において、炉幅方向に伸びた前記の各上梁２１の下に、炉長方向に伸びた吊下げ用部材２４を炉幅方向に所要間隔を介して複数設けている。
【００１７】
そして、この実施形態においては、図３（Ａ），（Ｂ）に示すように、前記の炉壁１２の上方において、前記の吊下げ用部材２４の下に、炉幅方向に伸びた案内レール２５を取付部材２６によって保持させるようにして炉長方向に所要間隔を介して複数設けている。
【００１８】
また、この実施形態においては、前記の天井部材１３として、図４に示すように、プレート部材１３ａの下面にファイバーブロック等の断熱体１３ｂを取り付けると共に、このプレート部材１３ａの上面に、炉長方向に所要間隔を介して設けられた前記の対になった案内レール２５に保持させる２対の走行ローラー１３ｃを設けたものを用いるようにしている。
【００１９】
また、前記の天井部材１３を案内レール２５の位置まで持ち上げて、走行ローラー１３ｃを案内レール２５に保持させるにあたり、図５に示すように、吊上げ補助部材４０として、前記の対になった案内レール２５に対応した間隔で対になった保持レール４１が設けられると共に、吊り具４２が設けられたものを用いるようにしている。
【００２０】
そして、図６に示すように、天井部材１３に設けられた前記の走行ローラー１３ｃを、吊上げ補助部材４０に設けられた前記の保持レール４１に保持させ、この状態で、吊上げ補助部材４０に設けられた吊り具４２にワイヤー４３をかけてクレーン（図示せず）により、この吊上げ補助部材４０と一緒に前記の天井部材１３を吊り上げ、図７に示すように、吊上げ補助部材４０に設けられた前記の保持レール４１を吊下げ用部材２４に設けられた前記の案内レール２５に接合させるようにする。
【００２１】
この状態で、図８に示すように、前記の天井部材１３を走行ローラー１３ｃにより前記の保持レール４１から案内レール２５に沿って炉壁１２の上の所定位置に移動させ、このような操作を繰り返して複数の天井部材１３を案内レール２５に沿って炉幅方向に移動させ、複数の天井部材１３を前記の案内レール２５に保持させた状態で、複数の天井部材１３を炉壁１２の炉幅方向に連続するようにして並設させるようにする。
【００２２】
そして、炉長方向に所要間隔を介して設けられたそれぞれの案内レール２５に対して前記の操作を繰り返して行い、各案内レール２５に順々に複数の天井部材１３を保持させて、炉壁１２の炉幅及び炉長方向全体に複数の天井部材１３を並設させるようにする。
【００２３】
このように天井部材１３を案内レール２５に沿って順々に移動させ、各天井部材１３を案内レール２５に保持させた状態で、炉壁１２の上に取り付けるようにすると、従来に比べて、炉壁１２の上に天井部材１３を取り付ける作業が短時間で簡単に行えるようになると共に、このように取り付けた天井部材１３を炉壁１２の上から取り外して、天井部材１３を再構築する場合にも、前記のように天井部材１３を案内レール２５に沿って炉壁１２の上から取り外す方向に移動させて、天井部材１３を炉壁１２の上から取り外す作業も、短時間で簡単に行えるようになる。
【００２４】
なお、このようにして複数の天井部材１３を炉壁１２の炉幅及び炉長方向全体に配置させた場合、前記の枠体２０における上梁２１を支持する支柱２３が邪魔になって、支柱２３の両側において案内レール２５に保持された天井部材１３の間に隙間が生じるため、この場合には、図９に示すように、天井部材１３間の隙間部分に、所要幅のプレート部材１４ａの下面に断熱体１４ｂが取り付けられた補助天井部材１４を設けるようにすることができる。
【００２５】
また、前記の枠体２０における炉長方向に伸びた横梁２２が前記の上梁２１の下に設けられ、前記のように天井部材１３を保持させた吊上げ補助部材４０における保持レール４１を、吊下げ用部材２４に設けられた案内レール２５に接合させるにあたり、この横梁２２が邪魔になる場合には、図１０に示すように、天井部材１３を案内する側に位置する複数の吊下げ用部材２４を取り外し、残りの吊下げ用部材２４の下に、前記のように取付部材２６によって炉幅方向に伸びた案内レール２５を保持させると共に、前記のように天井部材１３を保持させた吊上げ補助部材４０を、吊下げ用部材２４が取り外された部分の上方に導くようにする。
【００２６】
そして、図１１に示すように、吊下げ用部材２４が取り外された部分の上方に導かれた前記の吊上げ補助部材４０を、吊下げ用部材２４が取り外された空間から炉壁１２の上に導き、この吊上げ補助部材４０に設けられた保持レール４１を、吊下げ用部材２４に設けられた案内レール２５に接合させ、前記のように天井部材１３を走行ローラー１３ｃにより保持レール４１から案内レール２５に沿って炉壁１２の上の所定位置に移動させ、このような操作を繰り返して複数の天井部材１３を案内レール２５に沿って炉幅方向に連続して並設させる。
【００２７】
その後、図１２に示すように、吊下げ用部材２４を取り外した位置において、前記のように天井部材１３を保持させた吊上げ補助部材４０を炉壁１２の上に導き、吊下げ用部材２４を取り外した位置に新たに吊下げ用部材２４を取り付け、この吊下げ用部材２４の下に、取付部材２６によって天井部材１３を保持させた前記の吊上げ補助部材４０を保持させるようにする。
【００２８】
また、前記のように天井部材１３を案内レール２５に保持させて、天井部材１３を炉壁１２の上に取り付けるにあたり、天井部材１３と炉壁１２との間に隙間がある場合には、図１３（Ａ），（Ｂ）に示すように、天井部材１３に昇降機能を備えた走行ローラー１３ｃとして、カム部材１３ｃ１の外周に回転リング１３ｃ２を回転可能に取り付けたものを用い、前記の走行ローラー１３ｃにおける回転リング１３ｃ２を回転させて、天井部材１３を案内レール２５に沿って炉壁１２の上の所定位置に移動させ、その後、前記のカム部材１３ｃ１を回転させて、天井部材１３を案内レール２５に対して下降させ、天井部材１３を炉壁１２の上に接触させるようにして取り付けるようにすることができる。なお、図示していないが、天井部材１３と炉壁１２との間の隙間に断熱材を充填させるようにすることもできる。
【００２９】
また、前記の実施形態においては、案内レール２５を炉幅方向に設け、この案内レール２５に沿って天井部材１３を炉幅方向に順々に移動させて、天井部材１３を炉壁１２の上に並設させるようにしたが、前記の案内レール２５を炉長方向に設け、この案内レール２５に沿って天井部材１３を炉長方向に順々に移動させて、天井部材１３を炉壁１２の上に並設させるようにすることもできる。
【符号の説明】
【００３０】
１１      ：炉床
１２      ：炉壁
１３      ：天井部材
１３ａ    ：プレート部材
１３ｂ    ：断熱体
１３ｃ    ：走行ローラー
１３ｃ１  ：カム部材
１３ｃ２  ：回転リング
１４      ：補助天井部材
１４ａ    ：プレート部材
１４ｂ    ：断熱体
２０      ：枠体
２１      ：上梁
２２      ：横梁
２３      ：支柱
２４      ：吊下げ用部材
２５      ：案内レール
２６      ：取付部材
４０      ：吊上げ補助部材
４１      ：保持レール
４２      ：吊り具
４３      ：ワイヤー
【要約】
【課題】  吊下げ用部材が上方に複数並設された炉壁の上に天井部材を取り付けて炉を製造するにあたり、炉壁の上に天井部材を短時間で簡単に取り付けることができるようにする。
【解決手段】  吊下げ用部材24が上方に複数並設された炉壁12の上に天井部材13を取り付けて炉を製造するにあたり、吊下げ用部材24に走行用レール25を炉幅方向又は炉長方向に沿うようにして取り付けると共に、天井部材13に走行ローラー13cを設け、前記の走行用レール25に走行ローラー13cを保持させて、この走行ローラー13cにより天井部材13を走行用レール25に沿って炉壁12の所定位置に移動させて、天井部材13を炉壁12の上に取り付ける。
【選択図】  図７【図１】
0005877919.tif 000002
【図２】
0005877919.tif 000003
【図３】
0005877919.tif 000004
【図４】
0005877919.tif 000005
【図５】
0005877919.tif 000006
【図６】
0005877919.tif 000007
【図７】
0005877919.tif 000008
【図８】
0005877919.tif 000009
【図９】
0005877919.tif 000010
【図１０】
0005877919.tif 000011
【図１１】
0005877919.tif 000012
【図１２】
0005877919.tif 000013
【図１３】
0005877919.tif 000014